(57)【要約】【課題】筐体内に設けられた透明板に情報媒体を固定し、情報媒体が空中に浮遊するように見せて、透明板の存在が認識されてしまうことがなく、広告効果が高いディスプレイ装置を提供する。【解決手段】筐体２内に設けられた透明板３に情報媒体４を固定することにより、情報媒体が空中に浮遊するように見えるディスプレイ装置１において、透明板は、見る方向を横断するように、筐体の少なくとも左右側壁２１、２２の内面に保持されて設けられ、左右側壁の内面には、それぞれの内面から突き出し背面側に傾斜する傾斜板２４と、傾斜板の先端から元の側壁へ伸びる支持板２５とが繰り返し設けられた凹凸状の内側壁２６、２７が設けられ、内側壁の凸部若しくは凹部に透明板が設けられている。【選択図】図２
2015172627.tif 000002
【特許請求の範囲】
【請求項１】
筐体内に設けられた透明板に情報媒体を固定することにより、情報媒体が空中に浮遊するように見えるディスプレイ装置において、
前記透明板は、見る方向を横断するように、前記筐体の少なくとも左右側壁の内面に保持されて設けられ、前記左右側壁の内面には、それぞれの内面から突き出し、背面側に傾斜する傾斜板が設けられ、該傾斜板の背後に前記保持部分が設けられていることを特徴とするディスプレイ装置。
【請求項２】
筐体内に設けられた透明板に情報媒体を固定することにより、情報媒体が空中に浮遊するように見えるディスプレイ装置において、
前記透明板は、見る方向を横断するように、前記筐体の少なくとも左右側壁の内面に保持されて設けられ、前記左右側壁の内面には、それぞれの内面から突き出し背面側に傾斜する傾斜板と、該傾斜板の先端から元の側壁へ伸びる支持板とが繰り返し設けられた凹凸状の内側壁が設けられ、該内側壁の凸部若しくは凹部に前記透明板が設けられていることを特徴とするディスプレイ装置。
【請求項３】
前記筺体の背面側には、内照式看板が設けられていることを特徴とする請求項１または２に記載のディスプレイ装置。
【請求項４】
凹凸状の間隔が、見る側より背面側の方が狭くなっていくことを特徴とする請求項２から３のいずれか１項に記載のディスプレイ装置。
【発明の詳細な説明】
【技術分野】
【０００１】
本発明は、ディスプレイ装置に関するものである。特に、情報媒体が空中に浮遊するように見える、広告用のディスプレイ装置に関するものである。
【背景技術】
【０００２】
従来から、筐体内に設けられた透明板に情報媒体を固定したディスプレイ装置が存在する。このようなディスプレイ装置では、情報媒体が空中に浮遊しているように見えるため、看者に驚きと感動を与え、広告効果が高いという効果を奏する。
【０００３】
このようなディスプレイ装置で問題となるのは、透明板の存在が認識されてしまい、前記広告効果が減少してしまうことである。
【０００４】
透明板が認識されることを防止するため、透明板の筺体への固定部分（端部）を隠蔽するのではなく、固定部を設ける壁に、透明板に接触するそのストリップとそれに平行なストリップを設け、ストリップを形成する複数の溝のうちの１つに透明板を嵌め込み、固定部分を認識し難くした、広告目的用に情報媒体を展示するための装置がある（特許文献１）。
【０００５】
しかしながら、透明板に沿った複数の溝は、意匠的に不自然であり、意味のない表現でもある。
【０００６】
公知文献を以下に示す。
【先行技術文献】
【特許文献】
【０００７】
【特許文献１】特表２０１３−５２８８２７号公報
【発明の概要】
【発明が解決しようとする課題】
【０００８】
本発明は上記のような事情に鑑みてなされたもので、筐体内に設けられた透明板に情報媒体を固定し、情報媒体が空中に浮遊するように見せて、その透明板の存在が認識されてしまうことがなく、広告効果が高いディスプレイ装置を提供することを課題としている。
【課題を解決するための手段】
【０００９】
本発明は係る課題に鑑みなされたものであり、請求項１に記載の発明は、筐体内に設けられた透明板に情報媒体を固定することにより、情報媒体が空中に浮遊するように見えるディスプレイ装置において、
前記透明板は、見る方向を横断するように、前記筐体の少なくとも左右側壁の内面に保持されて設けられ、前記左右側壁の内面には、それぞれの内面から突き出し、背面側に傾斜する傾斜板が設けられ、該傾斜板の背後に前記保持部分が設けられていることを特徴とするディスプレイ装置である。
【００１０】
請求項２に記載の発明は、筐体内に設けられた透明板に情報媒体を固定することにより、情報媒体が空中に浮遊するように見えるディスプレイ装置において、
前記透明板は、見る方向を横断するように、前記筐体の少なくとも左右側壁の内面に保持されて設けられ、前記左右側壁の内面には、それぞれの内面から突き出し背面側に傾斜する傾斜板と、該傾斜板の先端から元の側壁へ伸びる支持板とが繰り返し設けられた凹凸
状の内側壁が設けられ、該内側壁の凸部若しくは凹部に前記透明板が設けられていることを特徴とするディスプレイ装置である。
【００１１】
請求項３に記載の発明は、前記筺体の背面側には、内照式看板が設けられていることを特徴とする請求項１または２に記載のディスプレイ装置である。
【００１２】
請求項４に記載の発明は、凹凸状の間隔が、見る側より背面側の方が狭くなっていくことを特徴とする請求項２から３のいずれか１項に記載のディスプレイ装置である。
【発明の効果】
【００１３】
請求項１に係わるディスプレイ装置によれば、背面側に傾斜する傾斜板により、透明板の筺体内への固定部分が隠れ、透明板が認識され難くすることができる。
【００１４】
請求項２に係わるディスプレイ装置によれば、背面側に傾斜する傾斜板により、透明板の筺体内への固定部分が隠れ、透明板が認識され難くすることができ、傾斜板と支持板とが繰り返し設けられた凹凸状の内側壁にすることによって、傾斜板をしっかりと筐体に固定することができ、且つ、部品数を減らすことができる。
【００１５】
請求項３に係わるディスプレイ装置によれば、内照式看板によって透明板の背面から、前面に向かって照明を充てることとなるので、外光の透明板での反射があっても、打ち消す効果があり、より、透明板を認識され難くすることができる。
【００１６】
請求項４に係わるディスプレイ装置によれば、凹凸状の間隔は前面側より背面側の方が狭いので、奥行きを感じさせることができる。
【図面の簡単な説明】
【００１７】
【図１】本発明に係わるディスプレイ装置の一実施形態を正面斜め方向から見た説明図である。
【図２】本発明に係わるディスプレイ装置の一実施形態を上方から天面板を透視して見た説明図である。
【発明を実施するための形態】
【００１８】
以下、本発明を実施するための形態につき図面を用いて詳細に説明する。
図１は、本発明に係わるディスプレイ装置の一実施形態を正面斜め方向から見た説明図、図２は、本発明に係わるディスプレイ装置の一実施形態を上方から天面板を透視して見た説明図である。
【００１９】
本実施形態のディスプレイ装置１は、図１、図２のように、筐体２内に設けられた透明板３に情報媒体４を固定することにより、情報媒体４が空中に浮遊するように見えるディスプレイ装置である。尚、情報媒体４を見る方向は、図１の手前から、図２の下側からである。
【００２０】
筐体２は、少なくとも左側壁２１と右側壁２２と天面板と床面板２３とからなる、直方体形状をしていて前面から内部が見えるようになっている。情報媒体４を固定する透明板３は、見る方向を横断するように、筐体２の少なくとも左側壁２１と右側壁２２の内面に保持されて設けられ、左右側壁２１、２２の内面には、それぞれの内面から突き出し、背面側に傾斜する傾斜板２４が設けられ、透明板３の保持部分が見えないようになっている。
【００２１】
本実施形態では、傾斜板２４の先端から元の側壁へ伸びる支持板２５が設けられ、傾斜
板２４と支持板２５とが繰り返し設けられていて、凹凸状の内側壁２６、２７を形成している。
【００２２】
筐体２は、前面が開口部になっていて、開口部には、透明な板を嵌め込み、密閉型して情報媒体４などの滅失を防ぐようになっている。また、開口部には額縁のような意匠が施されている。本実施形態の筐体２は、直方体になっているが、円筒形であっても良い。
【００２３】
筺体２内に設けられる透明板３は、情報媒体４が固定できる機械強度を有する板である。具体的には、ガラス、アクリレート樹脂等のプラスチックがあげられる。透明板３は、無反射（アンチグレア）特性を有していることが好ましい。
【００２４】
情報媒体４は、広告の対象であり、特に限定されるものではないが、指輪、アクセサリー等の貴金属、パーソナルコンピュータ、スマートホン等の電子機器、缶ビール、缶コーヒー等の飲料、食品等の比較的小型の商品があげられる。
【００２５】
情報媒体４は、透明板３に固定されている。固定とは、情報媒体３を、空中に浮遊しているように見えるよう、透明板３に恒久的に若しくは一時的に取り付けることを言う。本実施形態では固定する方法としては、螺子止めなどの固定具３１で固定され設けられているが、接着剤で接着してもよく、前面から見て認識され難いものであれば特に限定されるものではない。
【００２６】
また、本発明のディスプレイ装置においては、必ずしも情報媒体４を透明板３に離間して固定しなくてもよく、接して直接固定してもよい。更に、情報媒体４を透明板３に固定しながら、回転や揺動するようにしてもよい。更にまた、透明板３に情報媒体４を直接固定する場合、情報媒体４を切断し、一方を透明板３の前面側に、他方を透明板３の背面側に固定してもよい。
【００２７】
傾斜板２４と支持板２５が繰り返し設けられて凹凸状になっている内側壁２６、２７は、筐体２の左側壁２１の内面と、右側壁２２の内面にそれぞれ設けられている。ここで、少なくとも左側壁２１の内面と、右側壁２２の内面に設けられればよいとした理由は、筐体２の天面板側は、下から観察しない限り透明板３の固定部を認識することができないからである。
【００２８】
また、床面板２３側は、通常の観察では見ることができるが、図１のように、装飾物５を床面板２３の上に配置して、筺体２と透明板３の境界が情報媒体と関連する装飾物５で隠れるようにしている。
【００２９】
例えば、床面板２３の上に、情報媒体４がビールであるのなら、ホップを装飾物５として敷きつめたり、情報媒体４が宝石ならば、模造宝石を装飾物５として敷き詰めたりすることができる。このようにすれば、透明板３の固定部分を認識することができない。
【００３０】
なお、筺体２が円筒形で、開口部を円筒の一端部に設けた場合、左側壁の内面と、右側壁の内面に設けるということは、円筒形の内面全面に蛇腹状の内側壁を設けることになる。
【００３１】
内側壁２６、２７の凹凸状の凸部ａと凹部ｂの高さの差は、２ｃｍ〜７ｃｍ、奥行き方向の凸部ａと次の凸部ｃの間隔は、３ｃｍ〜１０ｃｍが好ましい。凸部と凸部の間隔は、奥に行くほど、狭くなっていることが好ましい。また、凸部と凹部の高さの差は、奥に行くほど、大きくなって、凸部の頂点が筺体の中央部に入り込むようになっていることが好ましい。このようにすると奥行きを感じさせることができる。
【００３２】
傾斜板２４や支持板２５からなる凹凸状の内側壁２６、２７を形成する材料は、剛体を有する材料であれば特に限定されるものではない。内側壁２６、２７の表面は、透明板に写り込み難くするために、濃い色であることが好ましい。また、梨地処理が形成されていることが好ましい。
【００３３】
内側壁２６、２７を形成する材料は、金属、プラスチック、紙等を用いることができる。凹凸状の内側壁２６、２７の製造は、これらの材料の１枚のシートに対して、谷折、山折の加工をして製造することができる。
【００３４】
そして、本実施形態では、透明板３を内側壁２６、２７の凸部に固定している。凸部に固定した場合、透明板３が凹凸状の内部に入り込むため、斜めから見た場合、固定部分がより認識し難くなる。尚、透明板３を凹部に固定しても、固定部分が認識し難ければよい。
【００３５】
筺体２の背面側には、内照式看板６を設置している。内照式看板６とは、ＬＥＤや蛍光管等の光源が設置されたライトボックスの前面に、無色透明板や有色透明板が設けられたものである。そして、この透明板にはコルトンとよばれる図柄７が形成されている。有色透明板の色やコルトンの図柄は、情報媒体４を引き立てるものであれば、特に限定されるものではない。また、背面側に何も設けず、背景が素通しできるものであってもよい。
【００３６】
前記筺体２内に設けられる透明板３は、外部から強い光が充てられると、その一部を反射し、その存在を認識されてしまう可能性があるが、背面に内照式看板６があれば、その光源から発せられる光により、透明板３からの反射光を認識させ難くすることが可能である。また、透明板３には、文字や絵柄などの装飾表現８が印刷などにより施されている。
【実施例】
【００３７】
以下、本発明に係わるディスプレイ装置１の実施例を説明する。
【００３８】
（実施例１）
筐体２として、不透明なアクリル板からなる直方体（間口６０ｃｍ、高さ４０ｃｍ、奥行き５０ｃｍ）を用いた。前面と後面は開口部となっている。開口部には、アクリル樹脂からなる透明な板を嵌め込んだ。また、開口部には四隅を丸くした額縁をはめ込んだ。
【００３９】
筺体２内に設けられる透明板３として、無反射のアクリル樹脂（厚さ２ｍｍ）を用いた。情報媒体４として３本の缶ビールを用いた。缶ビールは透明板３の裏から固定具３１の螺子で固定した。また、透明板３に装飾表現８として「ＢＥＥＲ」の文字を印刷した。
【００４０】
筐体２の左側壁２１と右側壁２２の内側に設けられた内側壁２６、２７には、金色梨字のアクリル板を用い、加熱、軟化させることにより、凹凸状に加工し、傾斜板２４、支持板２５を形成させた。
【００４１】
ここで、凹凸状の最前部の凸部と凹部の高さの差は、３ｃｍ、奥行き方向の凸部ａと次の凸部ｃの間隔は、１０ｃｍとした。尚、透明板の固定は、凹凸状の凸部で切断し、透明板３を挟み込む形態で、接着剤を用いて固定した。
【００４２】
また、筺体２の床面板２３には、透明板３の前面側と背面側ともに、装飾物５のホップを敷き詰め、透明板３と筺体２の床面板２３との境界を認識させないようにした。
【００４３】
更に、筺体の背面には、ＬＥＤを内蔵する内照式看板６を設けた。コルトンの図柄７に
は花の絵を描いた。
【００４４】
この実施例に係わるディスプレイ装置は、図柄７の花の絵の前に、情報媒体４の３本のビールと、装飾表現８として「ＢＥＥＲ」の文字が浮き出ているように見えるとともに、透明板３の存在が認識されてしまうことがなく、広告効果が高いディスプレイ装置であった。
【００４５】
（実施例２）
凸部と凸部の間隔を、前面側は１０ｃｍ、背面側を７ｃｍと、段階的に背面側の方を狭くした。さらに、凸部と凹部の高さの差を、前面側は３ｃｍとして、奥に行くほど０．５ｃｍずつ大きくし、背面側に行くほど筺体２の中央部に入り込むようにした。
【００４６】
この実施例２に係わるディスプレイ装置は、実施例１の効果に加え、より奥行きを感じさせるものであった。
【符号の説明】
【００４７】
１・・・ディスプレイ装置
２・・・筐体
２１・・・左側壁
２２・・・右側壁
２３・・・床面板
２４・・・傾斜板
２５・・・支持板
２６、２７・・・内側壁
３・・・透明板
３１・・・固定具
４・・・情報媒体
５・・・装飾物
６・・・内照式看板
７・・・図柄
８・・・装飾表現
【図１】
2015172627.tif 000003
【図２】
2015172627.tif 000004